(57)【要約】【課題】  エネルギーを節約することができ、放熱が少なくなり、明るさが強く均一であり、使用寿命がより長い顕微鏡用発光装置を提供する。【解決手段】  顕微鏡の透明ガラス物置台座に設置され、光伝導素子と、反射板と、光源とを含む顕微鏡用発光装置において、前記光源は、前記発光装置の側辺で発光し、前記光伝導素子は、光線を屈折するための微細構造を有し、前記微細構造は光源から発射された点光線を均一な面光線に転換し、なお、前記光伝導素子が透明ガラス物置台座の下に設置され、前記反射板は、前記光伝導素子の下に設置され、且つ光源から発射された光線を光伝導素子に反射することを特徴とする顕微鏡用発光装置。【選択図】  図２
2006195278.tif 000002
【特許請求の範囲】
【請求項１】
光伝導素子と、反射板と、光源とを含み、顕微鏡の透明ガラス物置台座に設置された顕微鏡用発光装置であって、
前記光源は、前記発光装置の側辺で発光し、
前記光伝導素子は、透明ガラス物置台座の下に設置され、光線を屈折するための微細構造を有し、前記微細構造は光源から発射された点光線を均一な面光線に転換し、
前記反射板は、前記光伝導素子の下に設置され、光源から発射された光線を光伝導素子に反射することを特徴とする、
顕微鏡用発光装置。
【請求項２】
前記発光装置の光源は、全体構造の側辺に位置することを特徴とする、
請求項１に記載の顕微鏡用発光装置。
【請求項３】
前記発光装置の光源は、全体構造の隅に位置することを特徴とする、
請求項１に記載の顕微鏡用発光装置。
【請求項４】
前記発光装置の光源は、点光源の発光ダイオードであることを特徴とする、
請求項１に記載の顕微鏡用発光装置。
【請求項５】
前記発光装置の光源は、線光源の冷陰極ランプであることを特徴とする、
請求項１に記載の顕微鏡用発光装置。
【請求項６】
前記光伝導素子には、点光源または線光源を均一な面光線に転換するための微細構造が複数設けてあることを特徴とする、
請求項１に記載の顕微鏡用発光装置。
【請求項７】
前記光伝導素子は、透明な樹脂で作製されたものであることを特徴とする、
請求項６に記載の顕微鏡用発光装置。
【請求項８】
前記光伝導素子は、アクリルで作製されたものであることを特徴とする、
請求項６に記載の顕微鏡用発光装置。
【請求項９】
前記光伝導素子は、ポリ炭酸エステルで作製されたものであることを特徴とする、
請求項６に記載の顕微鏡用発光装置。
【請求項１０】
前記光伝導素子の厚さは、０．３ｍｍ〜１５ｍｍ程度であることを特徴とする、
請求項１に記載の顕微鏡用発光装置。
【請求項１１】
前記光伝導素子の微細構造は、単一の表面に設けられたことを特徴とする、
請求項１に記載の顕微鏡用発光装置。
【請求項１２】
前記光伝導素子の微細構造は、両面に設けられたことを特徴とする、
請求項１に記載の顕微鏡用発光装置。
【請求項１３】
前記光伝導素子には、光源の下または側辺に対応して一つの高反射膜が増設されたことを特徴とする、
請求項１に記載の顕微鏡用発光装置。
【請求項１４】
前記光伝導素子には、一つの拡散膜が設けてあることを特徴とする、
請求項１に記載の顕微鏡用発光装置。
【請求項１５】
前記拡散膜の上には、増光膜が別に設けてあることを特徴とする、
請求項１４に記載の顕微鏡用発光装置。
【発明の詳細な説明】
【技術分野】
【０００１】
本発明は顕微鏡用発光装置に係り、特に省エネ効果を有し、放熱が少なく、明るさが強くて均一であり、使用寿命が長い顕微鏡用発光装置に関するものである。
【背景技術】
【０００２】
顕微鏡の使用では、透明ガラス基板台座の観察対象物をはっきりと観察するために、発光装置を取付ける必要がある。
【０００３】
図１に示すのは従来の顕微鏡１０であり、一つのハロゲン電灯１２を発光装置とし、前記ハロゲン電灯１２が透明ガラス基板台座１１の下に設置され、前記ハロゲン電灯１２に通電すると、光源が透明ガラス基板台座１１を透過して観察対象物を照明する。
【発明の開示】
【発明が解決しようとする課題】
【０００４】
しかしながら、従来の顕微鏡１０には次のような欠点があった。
【０００５】
（１）ハロゲン電灯１２の消費電力が高い。
（２）ハロゲン電灯１２は透明ガラス基板台座１１の下面に近接して設置することが必要であり、且つハロゲン電灯１２は放熱が多いので、透明ガラス基板台座１１が熱くなり、観察対象物の観察に影響が生じる。
（３）ハロゲン電灯は、使用寿命が短くて価格が高い。
【０００６】
本発明は以上の点に鑑みて成されたもので、その目的とするところは、省エネ効果を有し、放熱が少なくなり、明るさが強く均一であり、使用寿命がより長い顕微鏡用発光装置を提供することである。
【０００７】
また、放熱が少なく、透明ガラス基板台座１１が熱くならず、観察対象物の観察に影響しない顕微鏡用発光装置を提供することである。
【課題を解決するための手段】
【０００８】
上記目的を達成するためになされた本願の第一発明は、光伝導素子と、反射板と、光源とを含み、顕微鏡の透明ガラス物置台座に設置された顕微鏡用発光装置であって、前記光源は、前記発光装置の側辺で発光し、前記光伝導素子は、透明ガラス物置台座の下に設置され、光線を屈折するための微細構造を有し、前記微細構造は光源から発射された点光線を均一な面光線に転換し、前記反射板は、前記光伝導素子の下に設置され、光源から発射された光線を光伝導素子に反射することを特徴とする顕微鏡用発光装置であることを要旨としている。
【０００９】
本願の第二発明は、前記発光装置の光源は全体構造の側辺に位置することを特徴とする本願の第一発明に記載の顕微鏡用発光装置であることを要旨としている。
【００１０】
本願の第三発明では、前記発光装置の光源は全体構造の隅に位置することを特徴とする本願の第一発明に記載の顕微鏡用発光装置であることを要旨としている。
【００１１】
本願の第四発明では、前記発光装置の光源は点光源の発光ダイオードであることを特徴とする本願の第一発明に記載の顕微鏡用発光装置であることを要旨としている。
【００１２】
本願の第五発明では、前記発光装置の光源は線光源の冷陰極ランプであることを特徴とする本願の第一発明に記載の顕微鏡用発光装置であることを要旨としている。
【００１３】
本願の第六発明では、前記光伝導素子には、点光源または線光源を均一な面光線に転換するための微細構造が複数設けてあることを特徴とする本願の第一発明に記載の顕微鏡用発光装置であることを要旨としている。
【００１４】
本願の第七発明では、前記光伝導素子は透明な樹脂で作製されたものであることを特徴とする第六発明に記載の顕微鏡用発光装置であることを要旨としている。
【００１５】
本願の第八発明では、前記光伝導素子はアクリルで作製されたものであることを特徴とする本願の第六発明に記載の顕微鏡用発光装置であることを要旨としている。
【００１６】
本願の第九発明では、前記光伝導素子はポリ炭酸エステルで作製されたものであることを特徴とする本願の第六発明に記載の顕微鏡用発光装置であることを要旨としている。
【００１７】
本願の第十発明では、前記光伝導素子の厚さは０．３ｍｍ〜１５ｍｍ程度であることを特徴とする本願の第一発明に記載の顕微鏡用発光装置であることを要旨としている。
【００１８】
本願の第十一発明では、前記光伝導素子の微細構造は単一の表面に設けられたことを特徴とする本願の第一発明に記載の顕微鏡用発光装置であることを要旨としている。
【００１９】
本願の第十二発明では、前記光伝導素子の微細構造は両面に設けられたことを特徴とする本願の第一発明に記載の顕微鏡用発光装置であることを要旨としている。
【００２０】
本願の第十三発明では、前記光伝導素子には、光源の下または側辺に対応して一つの高反射膜が増設されたことを特徴とする本願の第一発明に記載の顕微鏡用発光装置であることを要旨としている。
【００２１】
本願の第十四発明では、前記光伝導素子には一つの拡散膜が設けてあることを特徴とする本願の第一発明に記載の顕微鏡用発光装置であることを要旨としている。
【００２２】
本願の第十五発明では、前記拡散膜の上には増光膜が別に設けてあることを特徴とする本願の第十四発明に記載の顕微鏡用発光装置であることを要旨としている。
【発明の効果】
【００２３】
本発明に係る顕微鏡用発光装置によれば、より小さい光源（例えば発光ダイオード）により明るさが強く均一な面状光線になるので、放熱が少なく、透明ガラス基板台座が熱くならなく、観察対象物の観察に影響が無く、且つ省エネ効果を有し、使用寿命をより長くすることができる。
【発明を実施するための最良の形態】
【００２４】
以下、添付図面を参照にして本発明の好適な実施の形態を詳細に説明する。
【００２５】
まず、図２と図３を参照する。
本発明に係る顕微鏡２０は、透明ガラス物置台座２１を予定位置に設置する。
観察対象物を前記透明ガラス物置台座２１上に載置し、顕微鏡２０は前記透明ガラス物置台座２１を利用して観察対象物を観察する。
【００２６】
発光装置３０は、顕微鏡２０の透明ガラス物置台座２１の下に取付けられ、一つの光伝導素子３１と、一つの反射板３２と、一つの光源３３とを含む。
【００２７】
前記光源３３は、点光源の発光ダイオードであってもいいし、線光源の冷陰極ランプであってもよい。
【００２８】
前記光伝導素子３１は、光線を屈折するための微細構造を有し、前記微細構造は光源から発射された点光線を均一な面光線に転換し、なお、前記光伝導素子３１は透明樹脂やアクリルやポリ炭酸エステルで作製されたものであり、また、前記光伝導素子３１は、その厚さが０．３ｍｍ〜１５ｍｍ程度であり、透明ガラス物置台座２１の下に設置する。
【００２９】
前記反射板３２は、前記光伝導素子３１の下に設置され、また、光源３３が前記光伝導素子３１の側辺に設置され、且つ光源３３から発射された光線が前記光伝導素子３１の表面での微細構造により明るさが強く均一な面状光線になる。
【００３０】
また、本発明に係る光伝導素子３１がその側辺に位置する光源３３から発射された光線を屈折するので、前記光源３３は透明ガラス物置台座２１上の観察対象物に近接する必要がなく、且つより小さい光源３３を使用すれば、放熱がより少ないので、透明ガラス基板台座２１が熱くならず、観察対象物の観察に影響がでない。
【００３１】
図４に示すのは本発明に係る実施例２であり、発光装置３０と光伝導素子３１との間に一つの拡散膜３４を増設し、光学拡散膜３４により光源３３の光線が有効に利用され、前記光伝導素子３１で屈折された光線がより均一なものとなる
図５に示すのは本発明に係る実施例３であり、発光装置３０と光伝導素子３１との間に一つの拡散膜３４を増設し、且つ前記拡散膜３４の上に、一つの水平増光膜３５と一つの垂直増光膜３６を追加し、これにより、光源３３の光線がより有効に利用されるものとなる。
【００３２】
本発明に係る光伝導素子での微細構造は、単一の表面に設けられてもいいし、両面に設けられてもよく、また、光伝導素子の下面または側辺にも、必要を見て高反射膜を増設してもよい。その結果、上方への照射効果がより良くなる。
【図面の簡単な説明】
【００３３】
【図１】従来の顕微鏡の概略図
【図２】本発明に係る実施例１の発光装置を示す概略図
【図３】本発明に係る実施例１の実施状態を示す概略図
【図４】本発明に係る実施例２の発光装置を示す概略図
【図５】本発明に係る実施例３の発光装置を示す概略図
【符号の説明】
【００３４】
１０  顕微鏡
１１  透明ガラス基板台座
１２  ハロゲン電灯
２０  顕微鏡
２１  透明ガラス物置台座
３０  発光装置
３１  光伝導素子
３２  反射板
３３  光源
３４  拡散膜
３５  水平増光膜
３６  垂直増光膜
【図１】
2006195278.tif 000003
【図２】
2006195278.tif 000004
【図３】
2006195278.tif 000005
【図４】
2006195278.tif 000006
【図５】
2006195278.tif 000007